(57)【要約】【課題】  従来のデジタル放送では、蓄積用コンテンツを放送するに際し上記コンテンツを取得できる期間を視聴者に明示する場合、放送局側で上記期間表示にかかる情報を映像として作成し、提示用コンテンツの映像信号と同期させて送信しなければならないという問題を有していた。【解決手段】  本発明においては、携帯端末１で提示される提示用データコンテンツ及び上記提示用コンテンツの提示に応じた操作によって端末１内のメモリ１１に蓄積される蓄積用コンテンツ及びこの蓄積用コンテンツの送出期間に係るデータを有する放送信号をチューナ／復調部２で受信し、受信した信号から前記蓄積用コンテンツの送出期間に係るデータをシステムデコーダ３にて抽出し、抽出した送出期間データにもとづき前記蓄積用コンテンツの取得可能期間を液晶表示器８に表示するようにした。【選択図】  図１
2005109564.tif 000002
【特許請求の範囲】
【請求項１】
１つのチャンネルを構成する放送信号の中に、その信号を受信した受信装置で提示される提示用データコンテンツ及び上記提示用コンテンツの提示に応じた操作によって上記受信装置内の蓄積手段に蓄積される蓄積用コンテンツ及びこの蓄積用コンテンツの送出期間に係るデータを含めて放送する送信装置と、
前記放送信号を受信する受信装置であって、受信した信号から前記蓄積用コンテンツの送出期間に係るデータを抽出する手段、及びこの手段で抽出した送出期間にかかるデータにもとづき前記蓄積用コンテンツの取得可能期間を表示する手段を有した受信装置とを具備したことを特徴とする放送システム。
【請求項２】
受信装置で提示される提示用データコンテンツ及び上記提示用コンテンツの提示に応じた操作によって上記受信装置内の蓄積手段に蓄積される蓄積用コンテンツ及びこの蓄積用コンテンツの送出期間に係るデータを含む放送信号を受信する手段と、受信した信号から前記蓄積用コンテンツの送出期間に係るデータを抽出する手段と、この手段で抽出した送出期間にかかるデータにもとづき前記蓄積用コンテンツの取得可能期間を表示する手段とを具備したことを特徴とする受信装置。
【請求項３】
請求項２記載の受信装置において、前記放送信号は番組連動型のデータ放送にかかる信号であることを特徴とする受信装置。
【請求項４】
請求項２記載の受信装置において、前記期間を示すデータはカウント値にかかるデータであることを特徴とする受信装置。
【請求項５】
１つのチャンネルを構成する放送信号の中に、その信号を受信した受信装置で提示される提示用データコンテンツと、上記提示用コンテンツの提示に応じた操作によって上記受信装置内の蓄積手段に蓄積される蓄積用コンテンツと、この蓄積用コンテンツの送出期間に係るデータとを含めて放送するようにしたことを特徴とする放送方法。
【発明の詳細な説明】
【技術分野】
【０００１】
本発明は、例えばデジタル放送のデータ放送に関連する放送システム及び受信装置、放送方法に関する。
【背景技術】
【０００２】
デジタル放送では、映像・音声に加えてデータが付加されたデータ付加テレビ番組や、データ中心の独立データ番組などのデータ放送サービスを行っている。今、このような番組の例として、以下のようなコマーシャル（以下、ＣＭという）放送が考えられている。すなわち、放送局側でＣＭとしての提示用データコンテンツとともに、そのＣＭに関するパンフレット等の情報を含む蓄積用コンテンツを合わせて放送する。これにより受信装置側では、蓄積用コンテンツの取り込みを実行し、その付加的な情報を蓄積後の任意の時点で視聴できるようにするものである（例えば、特許文献１を参照）。
【０００３】
ところで、ここでもし上記蓄積用コンテンツを取得できる期間を視聴者に明示しようとする場合、放送局側は上記期間表示にかかる情報を映像として作成し、提示用コンテンツの映像信号と同期させて送信しなければならないことになり、放送局側での対応が複雑になる。
【特許文献１】特開２０００−３０８０２５号公報（第１３頁乃至１７頁、図１３乃至図１９）
【発明の開示】
【発明が解決しようとする課題】
【０００４】
上述したように従来のデジタル放送では、例えばＣＭとしての提示用データコンテンツと共にそのＣＭに関するパンフレット等の情報を含む蓄積用コンテンツを合わせて放送するに当たり、上記蓄積用コンテンツを取得できる期間を視聴者に明示しようとする場合、放送局側は上記期間表示にかかる情報を映像として作成し提示用コンテンツの映像信号と同期させて送信しなければならず、対応が複雑となるものであった。
【０００５】
本発明は上記した問題点を解決するためになされたものであり、放送局からの簡単な信号によって受信機側で上記蓄積用コンテンツを取得できる期間を視聴者に明示可能な放送システム及び受信装置、放送方法を提供することを目的とする。
【課題を解決するための手段】
【０００６】
上記目的を達成するために、請求項１にかかる放送システムは、１つのチャンネルを構成する放送信号の中に、その信号を受信した受信装置で提示される提示用データコンテンツ及び上記提示用コンテンツの提示に応じた操作によって上記受信装置内の蓄積手段に蓄積される蓄積用コンテンツ及びこの蓄積用コンテンツの送出期間に係るデータを含めて放送する送信装置と、
前記放送信号を受信する受信装置であって、受信した信号から前記蓄積用コンテンツの送出期間に係るデータを抽出する手段、及びこの手段で抽出した送出期間にかかるデータにもとづき前記蓄積用コンテンツの取得可能期間を表示する手段を有した受信装置とを具備したことを特徴とするものである。
【０００７】
また、請求項２にかかる受信装置は、受信装置で提示される提示用データコンテンツ及び上記提示用コンテンツの提示に応じた操作によって上記受信装置内の蓄積手段に蓄積される蓄積用コンテンツ及びこの蓄積用コンテンツの送出期間に係るデータを含む放送信号を受信する手段と、受信した信号から前記蓄積用コンテンツの送出期間に係るデータを抽
出する手段と、この手段で抽出した送出期間にかかるデータにもとづき前記蓄積用コンテンツの取得可能期間を表示する手段とを具備したことを特徴とするものである。
【０００８】
さらに、請求項３にかかる受信装置は、請求項２記載の受信装置において、前記放送信号は番組連動型のデータ放送にかかる信号であることを特徴とするものである。
【０００９】
請求項４にかかる受信装置は、請求項２記載の受信装置において、前記期間を示すデータはカウント値にかかるデータであることを特徴とするものである。
【００１０】
請求項５にかかる放送方法は、１つのチャンネルを構成する放送信号の中に、その信号を受信した受信装置で提示される提示用データコンテンツと、上記提示用コンテンツの提示に応じた操作によって上記受信装置内の蓄積手段に蓄積される蓄積用コンテンツと、この蓄積用コンテンツの送出期間に係るデータとを含めて放送するようにしたことを特徴とするものである。
【発明の効果】
【００１１】
本発明によれば、放送局からの簡単な信号によって受信機側で上記蓄積用コンテンツを取得できる期間を視聴者に明示可能とする放送システム及び放送方法、受信装置を提供することができる。
【発明を実施するための最良の形態】
【００１２】
以下、本発明になる放送システム及び受信装置、放送方法の実施の形態について図面を参照して説明する。なお、説明の便宜上、受信装置の説明を最初に行なう。
図１は本発明になる受信装置の一実施の形態を示すブロック図であり、情報取得用携帯端末としての装置を念頭に置いている。図中、１は情報取得用携帯端末であり、２は図示せぬアンテナに接続されたチューナ／復調部、３はチューナ／復調部２に接続されたシステムデコーダ（デマルチプレックス部）である。さらに、システムデコーダ３にはオーディオデコーダ４を介してスピーカ５が接続されると共に、ビデオデコーダ６、フレームメモリ７を介して液晶表示器８が接続されている。
【００１３】
なお、上記チューナ／復調部２及びシステムデコーダ３、オーディオデコーダ４、ビデオデコーダ６、フレームメモリ７はすべてデータバス９に接続されている。また、バス９には、情報取得用携帯端末１の制御を行なう中央処理装置（ＣＰＵ）１０、メインメモリ１１がそれぞれ接続されると共に、記録メディアインタフェース（Ｉ／Ｆ）１２を介して記録メディア１３も接続されている。
【００１４】
次に上記端末１の動作について説明する。情報取得携帯端末１において、図示せぬアンテナで受信された電波は、チューナ／復調部２で受信希望のチャンネルが選局されるとともに、ＭＰＥＧトランスポートストリーム（ＭＰＥＧ−ＴＳ）へ復調され、システムデコーダ３によってデマルチプレックスが行なわれる。すなわち、デコーダ３によって、各コンポーネント（映像、音声、データ）ごとに分解され、音声はオーディオデコーダ４によってデコードされスピーカ５に送られ、映像はビデオデコーダ６によってデコードされてフレームメモリ７を介して表示器８に送られる。
【００１５】
一方、デコーダ３によって分解されたデータ（データ放送のマルチメディアデータ）は、データバス９を介してＣＰＵ１０に送られて処理される。さらに、ＣＰＵ１０で処理されたデータは再びデータバス９を介し、今度はフレームメモリ７に送られる。フレームメモリ７では、ＣＰＵ１０で処理されたデータとビデオデコーダ６からの映像や静止画などのモノメディアデータとが合成され、表示器８に表示されることになる。
【００１６】
ここで、メインメモリ１１はＣＰＵ１０が動作上必要なデータの一時記憶等を行う。また、データ放送において、取得した情報はメインメモリ１１、および記録メディアＩ／Ｆ１２を介して記録メディア１３に記憶される。この記録メディア１３は、磁気ディスク、光磁気ディスク、あるいは半導体メモリ等のデジタルデータを記録可能な記録媒体である。
【００１７】
次に、端末１において蓄積用コンテンツを取得できる期間を視聴者に明示するための構成、動作を詳細に説明する前に、放送局から送信される関連情報にかかる信号について説明する。
【００１８】
図２は、トランスポートストリーム（ＴＳ）パケットの構成を説明するための図である。ＴＳパケット２１は、４バイト固定長のパケットヘッダ２２、可変長のアダプテーションフィールドおよび／またはペイロード２３の計１８８バイトの固定長パケットで構成される。そして４バイト固定長のパケットヘッダ２２は、同期バイト２２１、トランスポートエラーインジケータ２２２、ペイロードユニット開始インジケータ２２３、トランスポート優先度２２４、ＲＩＤ（パケット識別子）２２５、トランスポートスクランブル制御２２６、アダプテーションフィールド制御２２７、連続性指標２２８の各要素から構成されている。なお、各要素にかかる図中の８、１、１等の数値は、上記要素のビット数である。
【００１９】
また、アダプテーションフィールド制御２２７は、ＴＳパケット２１がヘッダ２２及びペイロード２４の組み合わせ２５か、ヘッダ２２及びアダプテーションフィールド２６の組み合わせ２７か、ヘッダ２２及びアダプテーションフィールド２６及びペイロード２４の組み合わせ２８かを判別するためのものである。
【００２０】
さらに、上記アダプテーションフィールドには、ＰＣＲなどの情報の伝送およびスタッフィング機能、さらには任意に拡張可能なプライベートデータバイトが用意されている。本実施の形態では、このプライベートデータバイトに上記の放送局からの表示期間にかかる信号を割り当てている。
【００２１】
図３はＩＳＯ／ＩＥＣ １３８１８−１で規定されているアダプテーションフィールドのシンタックス記述を抜粋したものである。図中、２５行目から３０行目（点線で囲った部分３１）が上記のプライベートデータを記述する部分である。放送局側は、情報が取得可能になる開始時点を示すため、タイミングをあわせて、ここに開始フラグとその時点からいつまで情報が取得可能であるかを示す時間情報を送信する。そして、受信機側である端末１は、放送局から送信されてきた開始フラグと時間情報を受信し、カウントダウン表示を主映像に重畳する形で（いわゆるオン・スクリーン・ディスプレイ表示（ＯＳＤ表示））によって表示器８の画面上に出力する。具体的には、フレームメモリ７にて、ＣＰＵ１０で処理されたカウントダウン表示にかかる映像データとビデオデコーダ６からのＣＭ映像データとが合成され、表示器８に表示されることになる。
【００２２】
ここで、カウントダウン表示の一例を図４に示す。図４は、レストランのＣＭ画面の一例を示すもので、そのレストランに関する情報（例えば、連絡先及び地図、メニュー、クーポンなど）もデータとしてＣＭ映像と同時に放送局から送信し、視聴者が望めばＣＭの期間中にそのデータを取得できるという放送に基づく画面の一例である。図中、４１はＣＭ画面、４２はＣＭ画面４１の左下に表示された、視聴者が取得可能な情報（例えば、端末１に設けられた図示せぬ操作キーを用いて情報取得を指示することにより、メインメモリ１１や記録メディア１３に記憶させることが出来る情報）のメニュー、４３はＣＭ画面４１の右下にＯＳＤ表示された、レストランに関する情報を取得できる期間のカウントダウン表示である。ここで、バー表示の空白部（白色部）が、残り時間を示している。  次
に、図５を用いて送信側（放送局側）の構成の一実施形態について、簡単に説明する。図５は、送信側（放送局側）の構成を示すブロック図であり、５１はＣＭデータ再生部、５２は蓄積用データ再生部、５３は蓄積用データに関する開始フラグ及び時間情報にかかるデータ再生部であり、５４は上記再生部５１乃至５３からの再生データを合成する合成器であり、５５は合成器５４に接続された送信機である。上記構成により、放送局からは、ＣＭ画像データ及び蓄積用データ、蓄積用データに関する開始フラグ及び時間情報にかかるデータが合成されて、受信側の端末１に送信されることになる。
【００２３】
図６は端末１が上述した開始フラグを受け取ってからカウントダウン表示を表示器８の画面に表示するまでの端末１でのソフトウェア処理を説明するためのフローチャートである。まず、放送を受信した端末１は、上記の開始フラグがシステムデコーダ３から抽出されたＴＳパケット内にあるか否かを調べる（ステップＳ１）。そして、このフラグを検出したら、その後に続く時間情報を読み取る（ステップＳ２）。なお、フラグを検出しなかった場合は、検出されるまでステップＳ１を繰り返す。
【００２４】
ステップＳ２の後、処理はステップＳ３及びＳ４へ分岐し、並列に処理される。ステップＳ３では、後述するステップＳ１２で保持されるドット数が表示器８の画面に表示されるカウントダウンバーの長さになったか否かを判断する。ステップＳ３では、まだステップＳ１２は実行されていないために、保持しているドット数は初期値０である。したがって、ステップはＳ５に移動（ステップＳ３は「Ｎｏ」）し、カウントダウンバーの表示を行う。
【００２５】
ここで図７にカウントダウン表示の具体的イメージ図を示す。開始フラグを検知し、時間情報を読み取った直後の表示、すなわち、初めの表示は、同図（Ａ）に示すように初期状態のカウントダウンバー７１と、時間情報から読み取った情報取得可能な時間の最大値７２（Ｘ秒）とで表される。この場合、カウントダウンバー７１は全体が空白部（白色部）７３となっている。なお、この表示形態は一例であり、実現可能な範囲で端末１側で任意に変更可能である。
【００２６】
もう一方の分岐先にあたるステップＳ４では、ステップＳ２で読み取った時間情報と、あらかじめ設定されているカウントダウンバー７１の長さ（単位ドット数）により、カウントダウンバー７１が画面１ドット分進むのにかかる時間を算出し、サブルーチンである処理Ａ（ステップＳ６）を開始する。
【００２７】
処理Ａ（ステップＳ６）では、図６（Ｂ）に示すように、ステップＳ４で算出したカウントダウンバー７１が１ドット分進む時間が経過したか否かをまずＣＰＵ１０（図１参照）内蔵のタイマーによって調べ（ステップＳ１１）、そのタイミングになったらカウントダウンバー７１のドット数を１つ増やし、その数をメモリに保持する（ステップＳ１２）。次に、上記タイマーの値をリセットし（ステップＳ１３）、処理Ａを終了する。
処理Ａ（ステップＳ６）が終了すると、カウントダウンバーが１ドット進んでいるので、カウントダウンバー７１の表示を更新し（ステップＳ７）、ステップＳ３で現状のカウントダウンバー７１の進行を示すドット数（ステップＳ１２で保持したドット数）がカウントダウンバー７１の長さ（単位ドット数）になっていなければ（情報取得可能時間の残りが０秒でなければ）、ステップＳ７で更新したカウントダウンバー７１を画面に表示させる（ステップＳ５）。この場合のカウントダウン表示の図を図７（Ｂ）に示す。カウントダウンバー７１は、経過時間を示す黒色部７４と、残存時間を示す空白部（白色部）７３とで表示される。
【００２８】
また、この処理と並行して、次のカウントダウンバー７１の更新に向けて処理Ａ（ステップＳ６）を繰り返し行い、タイマーが再びステップＳ４で算出した値になったら、同様
にカウントダウンバー７１の表示更新を行っていく。最後に、ステップＳ３において、ステップＳ１２で保持したドット数がＯＳＤ表示のカウントダウンバー７１の長さになったら（情報取得可能時間の残りが０秒になったら）、ＯＳＤ表示を画面から消して処理を終了する。この場合のカウントダウン表示の図を図７（Ｃ）に示す。図７（Ｃ）は、残り時間が零であることをカウントダウンバー７１が示した状態を表している。すなわち、カウントダウンバー７１は、経過時間を示す黒色部７４のみの表示となっており、番組に関連した蓄積情報の取り込みは行なえない（放送局側から上記蓄積情報の送信が終了した）ことを意味している。
【００２９】
以上説明した実施の形態によれば、放送局からの簡単な信号によって、受信機側で蓄積情報の取り込み期間にかかるカウントダウン表示が可能になる。
【００３０】
なお、本発明の主旨を逸脱しない範囲で上記実施の形態を種々変形することが可能である。例えば、図４に示された取得可能な情報のメニューの表示は、ＣＭ画面自体に表示されるものの他、別データとして上述した時間情報と合わせて送信し、これを受信装置側で抽出して画面にＯＳＤ表示するようにしても良い。
【図面の簡単な説明】
【００３１】
【図１】本発明になる受信装置の一実施の形態を示すブロック図。
【図２】トランスポートストリーム（ＴＳ）パケットの構成を説明するための図。
【図３】アダプテーションフィールドのシンタックス記述を抜粋した図。
【図４】図１の装置によるレストランのＣＭ画面を示す図。
【図５】本発明になる放送システムの送信側（放送局側）の構成の一実施の形態を示すブロック図。
【図６】図１の装置のソフトウェア処理を説明するためのフローチャート。
【図７】図１の装置によるカウントダウン表示の具体例を説明するための図。
【符号の説明】
【００３２】
１：  情報取得用携帯端末
２：  チューナ／復調部
３：  システムデコーダ（デマルチプレックス部）
６：  ビデオデコーダ
７：  フレームメモリ
８：  液晶表示器
９：  データバス
１０：  中央処理装置（ＣＰＵ）
１１：  メインメモリ
【図１】
2005109564.tif 000003
【図２】
2005109564.tif 000004
【図３】
2005109564.tif 000005
【図４】
2005109564.tif 000006
【図５】
2005109564.tif 000007
【図６】
2005109564.tif 000008
【図７】
2005109564.tif 000009